(57)【要約】【課題】画像信号のスルーレートを改善すると共に、省電力及び低発熱な電子内視鏡用波形調整装置を得る。【解決手段】遅延回路１６０は、リセット信号ＳｒがＬｏｗになってから同軸ケーブル１７０の長さに応じた遅延時間が経過した後に、制御タイミング信号ＳｃをＨｉｇｈにして、スイッチ部１４０をＯＮにする。同軸ケーブル１７０の長さが長くなると、遅延時間を長くする。同軸ケーブル１７０の長さが短くなると、遅延時間を短くする。これにより、フィールドスルー期間Ｔｆから信号期間Ｔｖに移行するとき、エミッタ抵抗の値が小さくなって画像信号Ｓｏｕｔのスルーレートが改善される。また、フィールドスルー期間Ｔｆから信号期間Ｔｖに移行するときにのみ、エミッタ抵抗を減少させるため、それ以外の期間ではエミッタ抵抗が減少せず、ＮＰＮ型トランジスタ１２１、エミッタ抵抗、及びグラウンドに流れる電流を減らして省電力及び低発熱を実現できる。【選択図】図１
2011139794.tif 000002
【特許請求の範囲】
【請求項１】
画像信号を出力する撮像素子と、
前記撮像素子に接続されて前記画像信号を処理するバッファ部と、
前記バッファ部に接続されて前記画像信号を画像処理装置に送信する吐き出し信号経路と、
前記吐き出し信号経路とグラウンドとの間に設けられ、前記吐き出し信号経路とグラウンドとの接続を断続するスイッチ部と、
前記吐き出し信号経路とグラウンドとの間であって前記スイッチ部と直列に設けられる電流制御部と、
前記画像信号の立ち下がり時に前記吐き出し信号経路とグラウンドとを前記スイッチ部に接続させる遅延部とを備える電子内視鏡用波形調整装置。
【請求項２】
画像信号を出力する撮像素子と、
前記撮像素子に接続されて前記画像信号を処理するバッファ部と、
前記バッファ部に接続されて前記画像信号を画像処理装置に送信する吐き出し信号経路と、
前記吐き出し信号経路と電源との間に設けられ、前記吐き出し信号経路と電源との接続を断続するスイッチ部と、
前記吐き出し信号経路と電源との間であって前記スイッチ部と直列に設けられる電流制御部と、
前記画像信号の立ち上がり時に前記吐き出し信号経路と電源とを前記スイッチ部に接続させる遅延部とを備える電子内視鏡用波形調整装置。
【請求項３】
前記バッファ部と前記吐き出し信号経路とを接続するケーブルをさらに備え、
前記遅延部は、前記画像信号の出力タイミングを取得して、前記画像信号の出力タイミングから所定期間後に前記吐き出し信号経路とグラウンド又は電源とを前記スイッチ部に接続させ、前記ケーブルの長さに応じて前記所定期間を決定する請求項１又は２に記載の電子内視鏡用波形調整装置。
【請求項４】
前記画像信号から黒データを取得するために用いる黒データサンプリング信号と、前記画像信号から画像データを取得するために用いる画像サンプリング信号とを出力するタイミングジェネレータをさらに備え、
前記遅延部は、前記黒データサンプリング信号の立ち上がりと、前記画像サンプリング信号の立ち上がりとの間に、前記吐き出し信号経路とグラウンド又は電源とを前記スイッチ部に接続させる請求項１又は２に記載の電子内視鏡用波形調整装置。
【請求項５】
前記電流制御部は、抵抗である請求項１及び２に記載の電子内視鏡用波形調整装置。
【請求項６】
前記電流制御部は、定電流ダイオードである請求項１及び２に記載の電子内視鏡用波形調整装置。
【請求項７】
前記吐き出し信号経路とグラウンドとの間に設けられる突入電流防止部をさらに備える請求項１及び２に記載の電子内視鏡用波形調整装置。
【請求項８】
前記バッファ部は、ＮＰＮトランジスタと抵抗とから構成される請求項１に記載の電子内視鏡用波形調整装置。
【請求項９】
前記バッファ部は、ＰＮＰトランジスタと抵抗とから構成される請求項２に記載の電子内視鏡用波形調整装置。
【発明の詳細な説明】
【技術分野】
【０００１】
本発明は、撮像素子が出力した画像信号をバッファ部を介して画像処理部に送信する電子内視鏡用波形調整装置に関する。
【背景技術】
【０００２】
電子内視鏡は、撮像素子が出力した画像信号を画像処理部が画像処理し、記憶装置に保存、あるいは画像表示装置に表示する。撮像素子は、画像処理部と長さ約１〜５ｍの信号線により接続される。撮像素子が出力した画像信号を、長さ約１〜５ｍの信号線を介して画像処理部へ安定的に送信するため、エミッタフォロワ回路から成るバッファ部を有する電子内視鏡用波形調整装置が設けられる。
【０００３】
信号線の画像処理部側にはキャパシタが直列に取り付けられ、キャパシタの両端は抵抗を介して接地される。キャパシタの画像処理部側端に取り付けられる抵抗は終端抵抗であり、バッファ部側に取り付けられる抵抗は、エミッタ抵抗である。エミッタ抵抗とグラウンドとの間にはスイッチ回路が取り付けられ、撮像素子の非読み出し期間にＯＦＦにされ、読み出し期間にＯＮにされる。すなわち、読み出し期間にスイッチ回路がＯＮにされて、エミッタ抵抗が接地する（特許文献１）。
【先行技術文献】
【特許文献】
【０００４】
【特許文献１】特許第２５７９３７２号公報
【発明の概要】
【発明が解決しようとする課題】
【０００５】
しかし、エミッタフォロワ回路における画像信号の立ち下がりの速度は、エミッタ抵抗の値により決定されるため、従来の構成では、画像信号の立ち下がりの速度を変化させることができない。画像信号の立ち下がりの速度を速めなければ、画像信号のスルーレートが改善されない。さらに、読み出し期間にスイッチ回路をＯＮにすると、エミッタ抵抗及びグラウンドに流れる電流が増えて、省電力及び低発熱を実現することができない。
【０００６】
本発明はこれらの問題に鑑みてなされたものであり、画像信号のスルーレートを改善すると共に、省電力及び低発熱な電子内視鏡用波形調整装置を得ることを目的とする。
【課題を解決するための手段】
【０００７】
本願第１の発明による電子内視鏡用波形調整装置は、画像信号を出力する撮像素子と、撮像素子に接続されて画像信号を処理するバッファ部と、バッファ部に接続されて画像信号を画像処理装置に送信する吐き出し信号経路と、吐き出し信号経路とグラウンドとの間に設けられ、吐き出し信号経路とグラウンドとの接続を断続するスイッチ部と、吐き出し信号経路とグラウンドとの間であってスイッチ部と直列に設けられる電流制御部と、画像信号の立ち下がり時に吐き出し信号経路とグラウンドとをスイッチ部に接続させる遅延部とを備えることを特徴とする。
【０００８】
この場合、バッファ部は、ＮＰＮトランジスタと抵抗とから構成されることが好ましい。
【０００９】
本願第２の発明による電子内視鏡用波形調整装置は、画像信号を出力する撮像素子と、撮像素子に接続されて画像信号を処理するバッファ部と、バッファ部に接続されて画像信号を画像処理装置に送信する吐き出し信号経路と、吐き出し信号経路と電源との間に設けられ、吐き出し信号経路と電源との接続を断続するスイッチ部と、吐き出し信号経路と電源との間であってスイッチ部と直列に設けられる電流制御部と、画像信号の立ち上がり時に吐き出し信号経路と電源とをスイッチ部に接続させる遅延部とを備えることを特徴とする。
【００１０】
この場合、バッファ部は、ＰＮＰトランジスタと抵抗とから構成されることが好ましい。
【００１１】
電子内視鏡用波形調整装置はバッファ部と慚愧吐き出し信号経路とを接続するケーブルをさらに備え、遅延部は、画像信号の出力タイミングを取得して、画像信号の出力タイミングから所定期間後に吐き出し信号経路とグラウンド又は電源とをスイッチ部に接続させ、ケーブルの長さに応じて所定期間を決定することが好ましい。
【００１２】
電子内視鏡用波形調整装置は、画像信号から黒データを取得するために用いる黒データサンプリング信号と、画像信号から画像データを取得するために用いる画像サンプリング信号とを出力するタイミングジェネレータをさらに備え、遅延部は、黒データサンプリング信号の立ち上がりと、画像サンプリング信号の立ち上がりとの間に、吐き出し信号経路とグラウンド又は電源とをスイッチ部に接続させてもよい。
【００１３】
電流制御部は、抵抗が好適である。また、電流制御部は、定電流ダイオード、定電流ダイオードやトランジスタを用いた定電流回路であってもよい。
【００１４】
吐き出し信号経路とグラウンドとの間に設けられる突入電流防止部をさらに備えてもよい。
【発明の効果】
【００１５】
本発明によれば、画像信号のスルーレートを改善すると共に、省電力及び低発熱な電子内視鏡用波形調整装置を得ることができる。
【図面の簡単な説明】
【００１６】
【図１】第１の実施形態による電子内視鏡用波形調整装置を有する電子内視鏡装置のブロック図である。
【図２】画像信号と制御タイミング信号との関係を示したタイミングチャートである。
【図３】第２の実施形態による画像信号と制御タイミング信号との関係を示したタイミングチャートである。
【図４】第３の実施形態による電子内視鏡用波形調整装置を有する電子内視鏡装置のブロック図である。
【図５】画像信号と制御タイミング信号との関係を示したタイミングチャートである。
【発明を実施するための形態】
【００１７】
以下、本発明における電子内視鏡用波形調整装置について添付図面を参照して説明する。
【００１８】
図１及び２を用いて第１の実施形態による第１の電子内視鏡用波形調整装置１００の構成について説明する。
【００１９】
第１の電子内視鏡用波形調整装置１００は、画像信号を出力する撮像素子１１０と、撮像素子１１０に接続される第１のバッファ部１２０と、第１のバッファ部１２０に同軸ケーブル１７０を介して接続される第１の吐き出し信号経路１３０と、第１の吐き出し信号経路１３０とグラウンドとの間に設けられるスイッチ部１４０及び第２のエミッタ抵抗１５０と、スイッチ部１４０を制御する遅延回路１６０とから主に構成される。
【００２０】
撮像素子１１０及び第１のバッファ部１２０は、内視鏡スコープの遠位端部に格納され、第１の吐き出し信号経路１３０とスイッチ部１４０と遅延回路１６０は内視鏡プロセッサに格納される。内視鏡プロセッサは、画像信号をＡ／Ｄ変換するＡ／Ｄ変換器１８１と、撮像素子１１０、Ａ／Ｄ変換器１８１、及びスイッチ部１４０が動作するタイミングを制御するタイミングジェネレータ１８２とをさらに有する。Ａ／Ｄ変換器１８１は、Ａ／Ｄ変換した画像信号を画像処理回路に送信する。
【００２１】
撮像素子１１０は、被写体を撮像して画像信号を出力する。
【００２２】
第１のバッファ部１２０は、ＮＰＮ型トランジスタ１２１と第１のバッファ抵抗１２２とから成る。ＮＰＮ型トランジスタ１２１のコレクタは電源１２３に接続され、ベースは撮像素子１１０に接続され、エミッタは第１のバッファ抵抗１２２に接続される。第１のバッファ部１２０は画像信号を増幅して、後段に接続される回路とのインピーダンスを調整する。
【００２３】
第１のバッファ抵抗１２２は同軸ケーブル１７０に画像信号を出力する。同軸ケーブル１７０は内部導線１７１と外部導線１７２を備え、内部導線１７１は画像信号を伝送し、外部導線１７２は接地される。
【００２４】
第１の吐き出し信号経路１３０は、同軸ケーブル１７０とＡ／Ｄ変換器１８１とを接続する。同軸ケーブル１７０により伝送された画像信号は、第１の吐き出し信号経路１３０に入力される。
【００２５】
第１の吐き出し信号経路１３０は、キャパシタ１３１と、終端抵抗１３２と、第１のエミッタ抵抗１３３とを有する。キャパシタ１３１は、同軸ケーブル１７０とＡ／Ｄ変換器１８１とを繋ぐ第１の信号線１３４に直列となるように設けられる。終端抵抗１３２は、第１の信号線１３４のうち、キャパシタ１３１とＡ／Ｄ変換器１８１とを繋ぐ信号線とグラウンドとの間に設けられる。第１のエミッタ抵抗１３３は、第１の信号線１３４のうち、キャパシタ１３１と同軸ケーブル１７０とを繋ぐ信号線とグラウンドとの間に設けられる。
【００２６】
スイッチ部１４０と第２のエミッタ抵抗１５０は、第１の信号線１３４のうち、キャパシタ１３１と同軸ケーブル１７０とを繋ぐ信号線とグラウンドとの間であって、第１のエミッタ抵抗１３３よりも同軸ケーブル１７０側に設けられる。第２のエミッタ抵抗１５０は、電流制御部である。スイッチ部１４０と第２のエミッタ抵抗１５０は直列に設けられる。スイッチ部１４０とグラウンドとの間には、突入電流防止部であるビーズインダクタ１４１が設けられ、突入電流を防止する。
【００２７】
第１のエミッタ抵抗１３３と第２のエミッタ抵抗１５０とが第１のバッファ部１２０のいわゆるエミッタ抵抗を形成する。すなわち、第１のバッファ部１２０、第１のエミッタ抵抗１３３、及び第２のエミッタ抵抗１５０によりエミッタフォロワ回路が形成される。
【００２８】
タイミングジェネレータ１８２は、Ａ／Ｄ変換器１８１にサンプリングタイミング信号を送信するとともに、遅延回路１６０にスイッチ部１４０の制御タイミング信号を送信する。Ａ／Ｄ変換器１８１は、サンプリングタイミング信号に応じて、画像信号をデジタル信号に変換する。遅延回路１６０は、制御タイミング信号Ｓｃに応じて、スイッチ部１４０をオン、オフさせる。
【００２９】
次に、図２を用いて、遅延回路１６０がスイッチ部１４０をオンオフさせるタイミングについて説明する。図２は、撮像素子１１０が出力する画像信号Ｓｏｕｔと制御タイミング信号Ｓｃとの関係を示したタイミングチャートである。
【００３０】
画像信号Ｓｏｕｔは、リセット期間Ｔｒと、リセット期間Ｔｒに応じたリセットノイズを出力するフィールドスルー期間Ｔｆと、映像信号を出力する信号期間Ｔｖとから成る。
【００３１】
タイミングジェネレータ１８２は、水平出力信号Ｓｈ及びリセット信号Ｓｒを撮像素子１１０に送信する。水平出力信号Ｓｈ及びリセット信号Ｓｒがサンプリングタイミング信号を成す。撮像素子１１０は、これらの信号に応じて画像信号Ｓｏｕｔを出力する。
【００３２】
リセット期間Ｔｒは、リセット信号ＳｒがＨｉｇｈになっている期間に設けられ、フィールドスルー期間Ｔｆは、リセット信号ＳｒがＬｏｗになってから水平出力信号ＳｈがＬｏｗになるまでの期間に設けられる。そして、信号期間Ｔｖは、水平出力信号ＳｈがＬｏｗになってから、再度、水平出力信号Ｓｈ及びリセット信号ＳｒがＨｉｇｈになるまでの期間に設けられる。
【００３３】
リセット信号ＳｒがＨｉｇｈになってから画像信号Ｓｏｕｔがリセット期間Ｔｒに立ち上がるまで、リセット信号ＳｒがＬｏｗになってから画像信号Ｓｏｕｔがフィールドスルー期間Ｔｆに下がるまで、水平出力信号ＳｈがＬｏｗになってから画像信号Ｓｏｕｔが信号期間Ｔｖに下がるまでには、エミッタ抵抗や同軸ケーブル１７０の長さなどの要因により、時間差が生じる。
【００３４】
フィールドスルー期間Ｔｆから信号期間Ｔｖに移行するとき、撮像素子１１０が出力する画像信号Ｓｏｕｔの電流値は、エミッタ抵抗の値に依存する。エミッタ抵抗が大きいとき、エミッタ抵抗を流れる電流値が小さくなる。エミッタ抵抗を流れる電流値が小さくなると、フィールドスルー期間Ｔｆから信号期間Ｔｖに移行するに必要な時間が長くなる。すなわち、エミッタ抵抗を増やすと、画像信号Ｓｏｕｔの立ち下がり速度が遅くなり、フィールドスルー期間Ｔｆから信号期間Ｔｖに移行する時間差が大きくなって、画像信号Ｓｏｕｔのスルーレートが低下する。一方、スルーレートを改善するためにエミッタ抵抗の値を小さくすると、エミッタ抵抗及びグラウンドに流れる電流が増えて、ＮＰＮ型トランジスタ１２１の消費電力及び発熱が大きくなる。本実施形態では、これらを防止するために、フィールドスルー期間Ｔｆから信号期間Ｔｖに移行するとき、エミッタ抵抗の値を小さくして画像信号Ｓｏｕｔのスルーレートを改善し、それ以外の期間ではエミッタ抵抗の値を大きくしてＮＰＮ型トランジスタ１２１、エミッタ抵抗、及びグラウンドに流れる電流を減らして省電力及び低発熱を実現する。
【００３５】
遅延回路１６０は、リセット信号ＳｒがＬｏｗになってから同軸ケーブル１７０の長さに応じた遅延時間が経過した後に、制御タイミング信号ＳｃをＨｉｇｈにして、スイッチ部１４０をＯＮにする。つまり、同軸ケーブル１７０の長さが長くなると、ケーブルの長さから求められるケーブル遅延時間Ｔの影響を考慮して遅延時間を長くする。反対に、同軸ケーブル１７０の長さが短くなると遅延時間を短くする。ここで、ケーブル遅延時間Ｔは、以下の式により求められる。
Ｔ=τＬ
τ=√μ0μrε0εr
Ｌ：ケーブル長
τ：ケーブル１ｍあたりの遅延時間[s/m]
μ0：真空の透磁率
μr：ケーブル導体の透磁率
ε0：真空の誘電率
εr：ケーブル誘電体の誘電率
【００３６】
スイッチ部１４０をＯＮにするタイミングは、遅延時間を考慮することにより、期間Ｔ２が開始するときに該当する。そのため、期間Ｔ２が開始するとき、第１の吐き出し信号経路１３０に第２のエミッタ抵抗１５０が接続され、エミッタ抵抗が減らされる。これにより、フィールドスルー期間Ｔｆから信号期間Ｔｖに移行するとき、エミッタ抵抗の値が小さくなって画像信号Ｓｏｕｔのスルーレートが改善される。また、フィールドスルー期間Ｔｆから信号期間Ｔｖに移行するときにのみ、エミッタ抵抗を減少させるため、それ以外の期間ではエミッタ抵抗が減少せず、ＮＰＮ型トランジスタ１２１、エミッタ抵抗、及びグラウンドに流れる電流を減らして省電力及び低発熱を実現できる。
【００３７】
次に、第２の実施形態による第２の電子内視鏡用波形調整装置について図３を用いて説明する。第１の実施形態と同様の構成については同じ符号を付して説明を省略する。
【００３８】
第２の電子内視鏡用波形調整装置は、遅延回路１６０がスイッチ部１４０をオンオフさせるタイミングが第１の電子内視鏡用波形調整装置１００と異なる。以下、図３を用いて、遅延回路１６０がスイッチ部１４０をオンオフさせるタイミングについて説明する。
【００３９】
本実施形態では、黒データサンプリング信号Ｓｂ及び画像サンプリング信号Ｓｖを用いて制御タイミング信号Ｓｃを生成する。
【００４０】
タイミングジェネレータ１８２は、黒データサンプリング信号Ｓｂ及び画像サンプリング信号ＳｖをＡ／Ｄ変換器１８１に送信する。Ａ／Ｄ変換器１８１は、これらの信号に応じて、画像信号Ｓｏｕｔから黒データ及び画像データを取得する。画像データは、撮像素子１１０を構成する画素の画像レベルを示すデータである。黒データは、撮像素子１１０を構成する画素の黒レベルを示すデータであり、相関二重サンプリングにおいて用いられる。図示しないＤＳＰが、黒レベルと画像レベルとの差分に基づいてデジタル画像信号を出力する。
【００４１】
遅延回路１６０は、黒データサンプリング信号ＳｂがＨｉｇｈになった瞬間に制御タイミング信号ＳｃをＨｉｇｈにし、画像サンプリング信号ＳｖがＨｉｇｈになった瞬間に制御タイミング信号ＳｃをＬｏｗにする。黒データサンプリング信号ＳｂがＨｉｇｈとなる瞬間は、黒レベルを取得する瞬間であり、この瞬間が過ぎた直後に画像信号Ｓｏｕｔの信号レベルが下がる。そのため、この時点で制御タイミング信号ＳｃをＨｉｇｈにして、スイッチ部１４０をオンさせる。画像サンプリング信号ＳｖがＨｉｇｈになった瞬間、画像レベルを取得する瞬間であり、この瞬間の直前に画像信号Ｓｏｕｔの信号レベルが下がりきっている。そのため、この時点で制御タイミング信号ＳｃをＬｏｗにして、スイッチ部１４０をオフにする。
【００４２】
そのため、期間Ｔ２が開始する前に、第１の吐き出し信号経路１３０に第２のエミッタ抵抗１５０が接続され、エミッタ抵抗が減らされ、期間Ｔ２が終了した直後に、第１の吐き出し信号経路１３０から第２のエミッタ抵抗１５０が外され、エミッタ抵抗が増やされる。これにより、フィールドスルー期間Ｔｆから信号期間Ｔｖに移行するときに画像信号Ｓｏｕｔのスルーレートが改善され、それ以外の期間ではＮＰＮ型トランジスタ１２１、エミッタ抵抗、及びグラウンドに流れる電流を減らして省電力及び低発熱を実現できる。
【００４３】
次に、第３の実施形態による第３の電子内視鏡用波形調整装置２００について図４及び５を用いて説明する。第１の実施形態と同様の構成については同じ符号を付して説明を省略する。
【００４４】
第３の電子内視鏡用波形調整装置２００は、画像信号を出力する撮像素子１１０と、撮像素子１１０に接続される第２のバッファ部２２０と、第２のバッファ部２２０に同軸ケーブル１７０を介して接続される第２の吐き出し信号経路２３０と、第２の吐き出し信号経路２３０とグラウンドとの間に設けられるスイッチ部１４０及び第２のエミッタ抵抗１５０と、スイッチ部１４０を制御する遅延回路１６０とから主に構成される。
【００４５】
第２のバッファ部２２０は、ＰＮＰ型トランジスタ２２１と第２のバッファ抵抗２２２とから成る。ＰＮＰ型トランジスタ２２１のコレクタは接地され、ベースは撮像素子１１０に接続され、エミッタは第２のバッファ抵抗２２２に接続される。第２のバッファ抵抗２２２は同軸ケーブル１７０に画像信号を出力する。第２のバッファ部２２０は画像信号を増幅して、後段に接続される回路とのインピーダンスを調整する。
【００４６】
第２の吐き出し信号経路２３０は、同軸ケーブル１７０とＡ／Ｄ変換器１８１とを接続する。同軸ケーブル１７０により伝送された画像信号は、第２の吐き出し信号経路１３０に入力される。
【００４７】
第２の吐き出し信号経路１３０は、キャパシタ１３１と、終端抵抗１３２と、第１のエミッタ抵抗１３３とを有する。キャパシタ及び終端抵抗１３２は、第１の実施形態と同様である。第１のエミッタ抵抗１３３は、第１の信号線１３４のうち、キャパシタ１３１と同軸ケーブル１７０とを繋ぐ信号線と電源１２３との間に設けられる。
【００４８】
スイッチ部１４０と第２のエミッタ抵抗１５０は、第１の信号線１３４のうち、キャパシタ１３１と同軸ケーブル１７０とを繋ぐ信号線と電源１２３との間であって、第１のエミッタ抵抗１３３よりも同軸ケーブル１７０側に設けられる。
【００４９】
第１のエミッタ抵抗１３３と第２のエミッタ抵抗１５０とが第２のバッファ部２２０のいわゆるエミッタ抵抗を形成する。すなわち、第２のバッファ部２２０、第１のエミッタ抵抗１３３、及び第２のエミッタ抵抗１５０によりエミッタフォロワ回路が形成される。Ａ／Ｄ変換器及びタイミングジェネレータ１８２は、第１の実施形態と同様であるため、説明を省略する。
【００５０】
次に、図５を用いて、遅延回路１６０がスイッチ部１４０をオンオフさせるタイミングについて説明する。本実施形態では、信号期間Ｔｖからフィールドスルー期間Ｔｆに画像信号Ｓｏｕｔが移行するとき、制御タイミング信号ＳｃをＨｉｇｈにして、エミッタ抵抗を減少させる。遅延回路１６０が制御タイミング信号ＳｃをＨｉｇｈにするタイミングは、第１及び第２の実施形態と同様であるため、説明を省略する。
【００５１】
本実施形態によれば、信号期間Ｔｖからフィールドスルー期間Ｔｆに移行するとき、エミッタ抵抗の値が小さくなって画像信号Ｓｏｕｔのスルーレートが改善される。また、信号期間Ｔｖからフィールドスルー期間Ｔｆに移行するときにのみ、エミッタ抵抗を減少させるため、それ以外の期間ではエミッタ抵抗が減少せず、ＰＮＰ型トランジスタ２２１、エミッタ抵抗、及びグラウンドに流れる電流を減らして省電力及び低発熱を実現できる。
【００５２】
なお、スイッチ部及び遅延回路１６０は、内視鏡スコープを内視鏡プロセッサと接合するために内視鏡スコープに設けられるプロセッサ接合部、あるいは内視鏡スコープの操作部に格納されても良い。
【００５３】
また、ビーズインダクタ１４１ではなく、他の突入電流を防止する部が設けられてもよい。また、ビーズインダクタ１４１や他の突入電流を防止する部は設けられなくてもよい。
【００５４】
いずれの実施形態においても、第１のエミッタ抵抗１３３と第２のエミッタ抵抗１５０は、定電流源、例えば定電流ダイオードや、定電流ダイオードやトランジスタを用いた定電流回路であってもよい。
【符号の説明】
【００５５】
１００  第１の電子内視鏡用波形調整装置
１１０  撮像素子
１２０  第１のバッファ部
１２１  ＮＰＮ型トランジスタ
１２２  第１のバッファ抵抗
１２３  電源
１３０  出し信号経路
１３１  キャパシタ
１３２  終端抵抗
１３３  第１のエミッタ抵抗
１３４  第１の信号線
１４０  スイッチ部
１４１  ビーズインダクタ
１５０  第２のエミッタ抵抗
１６０  遅延回路
１７０  同軸ケーブル
１７１  内部導線
１７２  外部導線
１８１  Ａ／Ｄ変換器
１８２  タイミングジェネレータ
【図１】
2011139794.tif 000003
【図２】
2011139794.tif 000004
【図３】
2011139794.tif 000005
【図４】
2011139794.tif 000006
【図５】
2011139794.tif 000007